(57)【要約】【課題】販促品提供者の要望にマッチする配布対象者に対して詳細に精度よく販促品を配布すると共に、配布対象者の応答性向上を図る。【解決手段】本発明にかかる販促システムは、複数店舗のユーザ会員情報と、複数店舗のユーザ購買履歴情報に基づくユーザ行動履歴情報とを対応付けて記憶した第１記憶手段と、販促情報と、複数店舗の場所とを対応付けて記憶した第２記憶手段と、複数店舗の内、第一店舗に対するユーザの来店行動に基づいて該ユーザのユーザ会員情報が更新された場合、該ユーザの前記ユーザ行動履歴情報と複数店舗の場所とに基づいて、該ユーザが、複数店舗の内いずれかの第二店舗で購買履歴を有する配布対象ユーザであるか否かを検索する検索手段と、配布対象ユーザのユーザ端末に対し、販促情報を配布する配布手段とを有する。【選択図】図１
2014186538.tif 000002
【特許請求の範囲】
【請求項１】
複数店舗のユーザ会員情報と、前記複数店舗のユーザ購買履歴情報に基づくユーザ行動履歴情報とを対応付けて記憶した第１記憶手段と、
販促情報と、前記複数店舗の場所とを対応付けて記憶した第２記憶手段と、
前記複数店舗の内、第一店舗に対するユーザの来店行動に基づいて該ユーザのユーザ会員情報が更新された場合、該ユーザの前記ユーザ行動履歴情報と前記複数店舗の場所とに基づいて、該ユーザが、前記複数店舗の内いずれかの第二店舗で購買履歴を有する配布対象ユーザであるか否かを検索する検索手段と、
前記配布対象ユーザのユーザ端末に対し、前記販促情報を配布する配布手段と、
を有することを特徴とする販促システム。
【請求項２】
前記第２記憶手段は、さらに、ユーザ行動に関するキーワードを含む配布対象者条件とを対応付けて記憶し、
前記検索手段は、前記ユーザの前記ユーザ行動履歴情報に基づいて、該ユーザが、前記キーワードで特定される行動履歴を有する配布対象ユーザであるか否かを検索すること、
を特徴とする請求項１記載の販促システム。
【請求項３】
前記販促情報は、販促品に関する販促品情報を含み、
前記複数店舗の場所は、前記販促品の配布場所であって、
前記検索手段は、前記ユーザの前記ユーザ行動履歴情報と前記配布場所とに基づいて、該ユーザが、前記第一店舗での購買履歴の後に前記配布場所に一致する第二店舗での購買履歴を有する配布対象ユーザであるか否かを検索すること、
を特徴とする請求項１又は２に記載の販促システム。
【請求項４】
前記検索手段は、前記配布場所に近隣の第三店舗での購買履歴を有する配布対象ユーザであるか否かを検索すること、
を特徴とする請求項３記載の販促システム。
【請求項５】
販促システムが、
複数店舗のユーザ会員情報と、前記複数店舗のユーザ購買履歴情報に基づくユーザ行動履歴情報とを対応付けて、第１記憶手段に記憶する手順と、
販促情報と、前記複数店舗の場所とを対応付けて、第２記憶手段に記憶する手順と、
前記複数店舗の内、第一店舗に対するユーザの来店行動に基づいて該ユーザのユーザ会員情報が更新された場合、該ユーザの前記ユーザ行動履歴情報と前記複数店舗の場所とに基づいて、該ユーザが、前記複数店舗の内いずれかの第二店舗で購買履歴を有する配布対象ユーザであるか否かを検索する手順と、
前記配布対象ユーザのユーザ端末に対し、前記販促情報を配布する手順と、
を実行することを特徴とする販促品配布方法。
【請求項６】
コンピュータに、
複数店舗のユーザ会員情報と、前記複数店舗のユーザ購買履歴情報に基づくユーザ行動履歴情報とを対応付けて記憶した第１記憶手段と、
販促情報と、前記複数店舗の場所とを対応付けて記憶した第２記憶手段と、
前記複数店舗の内、第一店舗に対するユーザの来店行動に基づいて該ユーザのユーザ会員情報が更新された場合、該ユーザの前記ユーザ行動履歴情報と前記複数店舗の場所とに基づいて、該ユーザが、前記複数店舗の内いずれかの第二店舗で購買履歴を有する配布対象ユーザであるか否かを検索する検索手段と、
前記配布対象ユーザのユーザ端末に対し、前記販促情報を配布する配布手段として機能させるプログラム。
【発明の詳細な説明】
【技術分野】
【０００１】
本発明は、販促システム、販促品配布方法及びプログラムの技術に関する。
【背景技術】
【０００２】
従来より、企業の販売促進の一環として、新商品などの販促品（試供品）を配布する活動がある。近年、インターネット上の販促分野においても、ユーザの携帯端末等に対し、電子クーポンを配布する技術が知られている。
【０００３】
これに関する技術として、例えば、特許文献１には、携帯端末専用アプリを使用するスマホユーザに対し、ネット事業者から本来の携帯端末専用のウェブコンテンツに加え、景品（おまけ）として商品や試供品など所定の対象と交換できる電子クーポンを広告に代えて提供する情報配信装置が記載されている。
【先行技術文献】
【特許文献】
【０００４】
【特許文献１】特開２０１２−２４８０７３号公報
【発明の概要】
【発明が解決しようとする課題】
【０００５】
ここで、電子クーポンを受け取ったユーザは、電子クーポンを販促品に引き換えるために、所定の受取場所（例えば、実店舗）に足を運ぶ必要がある。しかしながら、ユーザの中には、販促品の引き換えを行わないユーザも一定割合存在しうる。このため、販促品提供者が予定していた目標配布数をクリアできないといった問題があった。
【０００６】
上記特許文献１の発明では、ユーザの趣味嗜好などの属性に合わせて、個々のユーザにより適合した電子クーポンが提供することが記載されている。また、電子クーポンと交換できる対象の種別、数量、提供場所を表す供給情報を予め用意しておくことにより、ユーザの現在位置や指定の地域、ユーザが指定した対象のカテゴリ、残り数量などに応じて適切な電子クーポンを提供することが記載されている。
【０００７】
このため、上記特許文献１の発明は、電子クーポンの引換率など、一定以上、ユーザ応答性の改善に寄与するものである。しかしながら、言うまでもなく、ユーザ応答性が１００％になることはないため、依然として、よりユーザ応答性の高い電子クーポン配布の仕組みが要望される。
【０００８】
本発明は上記の点に鑑み提案されたものであり、その目的とするところは、販促品提供者の要望にマッチする配布対象者に対して詳細に精度よく販促品を配布すると共に、配布対象者の応答性向上を図ることにある。
【課題を解決するための手段】
【０００９】
上記の課題を解決するため、本発明にかかる販促システムにあっては、複数店舗のユーザ会員情報と、前記複数店舗のユーザ購買履歴情報に基づくユーザ行動履歴情報とを対応付けて記憶した第１記憶手段と、販促情報と、前記複数店舗の場所とを対応付けて記憶した第２記憶手段と、前記複数店舗の内、第一店舗に対するユーザの来店行動に基づいて該ユーザのユーザ会員情報が更新された場合、該ユーザの前記ユーザ行動履歴情報と前記複数店舗の場所とに基づいて、該ユーザが、前記複数店舗の内いずれかの第二店舗で購買履歴を有する配布対象ユーザであるか否かを検索する検索手段と、前記配布対象ユーザのユーザ端末に対し、前記販促品情報を配布する配布手段とを有する。
【発明の効果】
【００１０】
本発明の実施の形態によれば、販促品提供者の要望にマッチする配布対象者に対して詳細に精度よく販促品を配布すると共に、配布対象者の応答性向上を図ることができる。
【図面の簡単な説明】
【００１１】
【図１】販促システムのネットワーク構成図である。
【図２】会員管理アプリ画面の一例である。
【図３】会員情報管理サーバ２及び販促サーバ３のハードウェア構成例を示す図である。
【図４】会員情報管理サーバ２及び販促サーバ３のソフトウェア構成例を示す図である。
【図５】会員情報ＤＢ２０３ａのデータ構造の一例である。
【図６】販促品ＤＢ３０３ａのデータ構造の一例である。
【図７】販促システムの販促品配布処理例を示すシーケンス図である。
【図８】会員管理アプリ画面の一例である。
【図９】販促サーバ３の販促品マッチング検索例を示すフローチャートである。
【発明を実施するための形態】
【００１２】
以下、本発明の好適な実施形態につき説明する。なお、以下、販売促進、販売促進品を、単に販促、販促品という場合がある。また、販促品は、試供品、サンプル品なども含むものとする。
【００１３】
＜構成＞
（ネットワーク構成）
図１は、本発明の一実施形態にかかる販促システムのネットワーク構成図である。販促システムは、ユーザ端末１、会員情報管理サーバ２、販促サーバ３が、ネットワークを介して通信可能に接続される。
【００１４】
ユーザ端末１は、販促品の配布対象となるユーザの端末である。ユーザ端末１は、ネットワーク（例えば、３Ｇ、４Ｇ、ＷｉＦｉ等）を介し、会員情報管理サーバ２、販促サーバ３と通信可能な端末である。このため、ユーザ端末１は、ＰＣ（Personal Computer）、スマートフォン、携帯電話等の情報処理機器から構成される。また、ユーザ端末１は、予め、会員情報管理アプリケーション（以下、会員管理アプリという）を有する。
【００１５】
ここで、会員管理アプリは、複数の会員カード、ポイントカード、クーポンなどをまとめて管理できるアプリという。会員管理アプリでは、例えば、飲食店やレンタルビデオ店、コンビニなど、複数の会員カード、ポイントカード、クーポンの情報を集約して管理できる。ユーザは、従来型の会員カードを物理的に保有しなくとも、ユーザ端末１で、１つの会員管理アプリをインストールしておけばよい。ユーザは、店舗等でユーザ端末１をかざすなどするだけで、従来型の会員カードと同様（又はそれ以上）のサービスを受けることができる。
【００１６】
会員情報管理サーバ２は、会員管理アプリの会員情報を管理するサーバである。例えば、飲食店やレンタルビデオ店、コンビニなど、複数の会員カード、ポイントカード、クーポンの情報を集約して管理する。
【００１７】
販促サーバ３は、会員情報管理サーバ２と連携し、後述のタイミングを契機として、配布対象として抽出されたユーザのユーザ端末１（会員管理アプリ）に対し、販促情報を配布する。ここで、販促情報には、販促のための広告情報、例えば、クーポン（電子クーポン）が含まれる。このクーポンには、販促品情報や配布場所（受取場所）の情報が記載されている。
【００１８】
図２は、本発明の一実施形態にかかる会員管理アプリ画面の一例である。会員管理アプリ上、「Ｃａｒｄ  Ｃａｓｅ」には、複数の会員カードが収納されている。これは、例えば、従来型の会員カードを財布等に収納する様子を電子的にイメージしたものである。
【００１９】
このように、会員管理アプリでは、１つの会員管理アプリをインストールしておけば、複数の会員カードを電子的に保有することが可能である。なお、ユーザは、予め会員情報を入力すると共に、会員管理アプリ加盟の会員カードの内、所望の会員カードに入会する。
【００２０】
次に、再び図１を参照しながら、販促システムにおける販促品配布の概要について説明する。
【００２１】
（１）まず、ユーザは、店舗４に来店し、店舗４の所定端末にユーザ端末１をかざすことで、会員カードの、例えば、購買履歴の更新、購入ポイントや来店ポイントの追加など、何らかの会員情報の更新を行う。なお、店舗４は、会員管理アプリでユーザが会員として入会済みの会員カードを保有する店舗である。
【００２２】
（２）ユーザ端末１は、会員管理アプリ内の会員カードの、会員情報が更新されると、会員情報管理サーバ２に対し、会員情報の更新情報を送信する。なお、更新情報は、ユーザ端末１から、ネットワーク（例えば、３Ｇ、４Ｇ、ＷｉＦｉ（登録商標）等）を介し、会員情報管理サーバ２に送信される。また、更新情報は、店舗４のＰＯＳシステムから、ネットワーク（例えば、固定インターネット回線等）を介し、会員情報管理サーバ２に送信されてもよい。
【００２３】
（３）会員情報管理サーバ２は、ユーザ端末１から更新情報を受信すると、更新情報を会員情報ＤＢに反映させる。
【００２４】
（４）次に、会員情報管理サーバ２は、更新情報の受信のタイミングを契機とし、販促サーバ３に対し、ユーザ端末１の会員情報等と共に、販促品マッチング検索要求を送信する。
【００２５】
（５）販促サーバ３は、販促品マッチング検索要求を受信すると、ユーザ端末１の会員情報等に基づいて、マッチする販促品が存在するか否かを検索する。
【００２６】
（６）販促サーバ３は、ユーザ端末１に対してマッチする販促品が存在する場合、その販促品のクーポンを、ユーザ端末１に対し送信する。
【００２７】
（７）ユーザ端末１は、クーポンを受信すると、会員管理アプリ内にクーポンを表示する。クーポンには、販促品の情報や配布場所（受取場所）の情報が記載されている。
【００２８】
（８）ユーザは、店舗４に来店し、店舗４の所定端末にユーザ端末１をかざすことで、販促品を受け取る。なお、後述するように、本実施形態においては、ユーザ端末１のユーザに対し、適切な販促品を配布するようにし、販促品受取の可能性を一層高いものとする仕組みとなっている。
【００２９】
（ハードウェア構成）
図３は、本発明の一実施形態にかかる会員情報管理サーバ２及び販促サーバ３のハードウェア構成例を示す図である。
【００３０】
具体的に、これらハードウェア構成は、一般的なパソコンやワークステーションなどと同様の構成であり、図に示されるように、ＣＰＵ（Central Processing Unit）１１と、ＲＯＭ（Read Only Memory）１２と、ＲＡＭ（Random Access Memory）１３と、入力装置１４と、出力装置１５と、通信装置１６と、ＨＤＤ（Hard Disk Drive）１７とを有する。
【００３１】
ＣＰＵ１１は、各種プログラムの実行や演算処理を行う。ＲＯＭ１２は、起動時に必要なプログラムなどが記憶されている。ＲＡＭ１３は、ＣＰＵ１１での処理を一時的に記憶したり、データを記憶したりする。入力装置１４は、キーボードやマウスである。出力装置１５は、ディスプレイである。通信装置１６は、ネットワーク４を介し他装置との通信を行う。ＨＤＤ１７は、各種データ及びプログラムを格納する。
【００３２】
（ソフトウェア構成）
図４は、本発明の一実施形態にかかる会員情報管理サーバ２及び販促サーバ３のソフトウェア構成例を示す図である。
【００３３】
まず、会員情報管理サーバ２は、機能部として、会員情報管理部２０１、ユーザ行動分析部２０２、記憶部２０３を有する。
【００３４】
会員情報管理部２０１は、会員情報ＤＢ２０３ａを用いて、ユーザ毎（会員毎）に、会員管理情報、購買履歴情報、行動履歴情報などを管理する。また、会員情報管理部２０１は、会員情報ＤＢ２０３ａの情報の内、会員情報（会員管理情報や購買履歴情報）に更新があった場合、更新情報を受信し、これを会員情報ＤＢ１０１ａに反映し更新する。また、会員情報管理部２０１は、ユーザの会員情報の更新があった場合、会員情報の更新後、販促サーバ３に対し、販促品マッチング検索要求を送信する。
【００３５】
ユーザ行動分析部２０３は、会員情報ＤＢ２０３ａに記憶されている会員管理アプリの会員管理情報、購買履歴情報を用いて、ユーザ毎にユーザ行動を分析し、ユーザ毎にユーザの行動履歴情報を生成する。生成した行動履歴情報は、会員情報の一つとして、ユーザ毎に、会員情報ＤＢ２０３ａに記憶しておく。行動履歴情報は、例えば、ユーザの過去の購買履歴をはじめとした会員情報の分析し、分析結果を、ユーザ行動に結び付けた情報ある。ユーザ行動履歴情報は、あくまで過去のユーザの行動履歴であるが、繰り返して、同一の行動履歴が見られる場合、将来（未来）においても同一の行動が予測される（ユーザが同一の行動を取る可能性がある）。
【００３６】
記憶部１０１は、会員情報ＤＢ２０３ａなどを記憶する機能を有している。会員情報ＤＢ２０３ａのデータ例については後述する。
【００３７】
次いで、販促サーバ３は、機能部として、検索部３０１、配布部３０２、記憶部３０３を有する。
【００３８】
検索部３０１は、会員情報管理サーバ２から販促品マッチング検索要求（そのユーザの会員情報を含む）を受信すると、販促品ＤＢ３０３を参照し、ユーザの会員管理情報及び行動履歴情報と、販促品の配布対象者条件及び配布場所とを比較することにより、当該ユーザが、販促品の配布対象ユーザであるか否かを検索（判定）する。つまりいいかえれば、検索部３０１は、販促品ＤＢ３０３を参照し、当該ユーザにマッチする販促品を検索する。
【００３９】
配布部３０２は、検索結果に応じて、販促品情報（例えば、販促品のクーポン）をユーザ端末１に対し、配布（送信）する。販促品情報は、ユーザ端末１の会員管理アプリ内に、例えば、クーポンとして表示される。なお、検索結果が「該当販促品なし」の場合、配布部３０２は、販促品情報をユーザ端末１に対し配布しない。
【００４０】
記憶部３０３は、販促品ＤＢ３０３ａなどを記憶する機能を有している。販促品ＤＢ３０３ａのデータ例については後述する。
【００４１】
なお、これらの機能部は、会員情報管理サーバ２及び販促サーバ３を構成するコンピュータのＣＰＵ、ＲＯＭ、ＲＡＭ等のハードウェア資源上で実行されるコンピュータプログラムによって実現されるものである。但し、これらの機能部は、「手段」、「モジュール」、「ユニット」、又は「回路」に読替えてもよい。
【００４２】
会員情報管理サーバ２及び販促サーバ３の各機能部は、単一のコンピュータ上に配置される必要はなく、必要に応じて分散される形態であってもよい。また、会員情報ＤＢ２０３ａ、販促品ＤＢ３０３ａは、必ずしも同一サーバ内に配置される必要はなく、他の記憶装置やＤＢ上に配置してもよい。
【００４３】
（会員情報ＤＢ２０３ａ）
図５は、本発明の一実施形態にかかる会員情報ＤＢ２０３ａのデータ構造の一例である。会員情報ＤＢ２０３ａは、（ａ）会員管理情報、（ｂ）購買履歴情報、（ｃ）行動履歴情報を格納する。
【００４４】
（ａ）会員管理情報は、例えば、「会員ＩＤ」、「氏名」、「住所」、「性別」、「年齢」、「会員カード」、「来店ポイント」、「購入ポイント」を有する。
【００４５】
「会員ＩＤ」は、会員管理アプリを利用するユーザの会員ＩＤ（識別子）である。
【００４６】
「氏名」、「住所」、「性別」、「年齢」は、いわゆるユーザ属性情報である。例えば、職業、既婚未婚、子供の有無、趣味・嗜好など、これ以外のユーザ属性があってもよい。
【００４７】
「会員カード」は、会員管理アプリ上でユーザが保有する会員カード種別である。上述したように、会員管理アプリは、ユーザが入会している複数の会員カードまとめて管理できる。ユーザが会員カードに加入するたびに更新される。
【００４８】
「来店ポイント」は、会員店舗に来店する毎に付与されるポイントである。ユーザが会員店舗を来店するたびに記録される。
【００４９】
「購入ポイント」は、会員店舗で購入する毎に付与されるポイントである。ユーザが会員店舗で商品等（商品やサービス）を購入するたびに記録される。
【００５０】
なお、本実施形態にかかる「来店ポイント」及び「購入ポイント」は、全店舗共通のポイントとしたが、各店舗毎に独立したポイントを設けてもよい。
【００５１】
（ｂ）購買履歴情報は、例えば、「会員ＩＤ」、「年月日」、「時刻」、「会員カード」、「店舗」、「商品」、「価格」を有する。ユーザが会員店舗で商品等（商品やサービス）を購入するたびに記録される。
【００５２】
「会員ＩＤ」は、会員管理アプリを利用するユーザの会員ＩＤである。
【００５３】
「年月日」、「時刻」は、商品等を購入した日付、時刻である。
【００５４】
「会員カード」は、商品購入時、使用されたカードの種類である。
【００５５】
「店舗」は、会員店舗の内、ユーザが商品を購入した店舗である。
【００５６】
「商品」、「価格」は、ユーザが購入した商品、及びその価格である。
【００５７】
（ｃ）行動履歴情報は、例えば、「会員ＩＤ」、「行動履歴」を有する。
【００５８】
「会員ＩＤ」は、会員管理アプリを利用するユーザの会員ＩＤである。
【００５９】
「行動履歴」は、ユーザの行動履歴情報である。例えば、ユーザの過去の購買履歴をはじめとした会員情報の分析結果を、ユーザ行動に結び付けた情報ある。ユーザ行動分析部２０３により、一定期間毎に、会員情報ＤＢ２０３ａに記憶されている会員管理情報、購買履歴情報を用いてユーザ毎に分析されており、ここに格納される。
【００６０】
なお、本実施形態にかかるユーザの行動履歴情報はあくまで一例である。ユーザ行動分析手法等に応じて、適切な行動履歴情報が保持されればよい。
【００６１】
（販促品ＤＢ３０３ａ）
図６は、本発明の一実施形態にかかる販促品ＤＢ３０３ａのデータ構造の一例である。販促品ＤＢ３０３ａは、「販促品ＩＤ」、「販促品情報」、「配布対象者条件」、「配布場所」を有する。
【００６２】
「販促品ＩＤ」は、販促品のＩＤである。販促品提供者が販促品を提供するたびに１つづつ固有のＩＤが付与される。
【００６３】
「販促品情報」は、「販促品名」、「販促品詳細」、「広告主（＝販促品提供者）」を有する。これらは、販促品提供者によって提供される情報である。また、これら情報は、クーポンへの記載内容としても用いられる。また、「販促品情報」は、物のほか、無形のサービスであってもよい。
【００６４】
「配布対象者条件」は、販促品提供者が想定（要望）する販促品の配布対象者の条件である。「配布対象者条件」は、例えば、大きく、「ユーザ属性（情報）」（「地域」、「性別」、「年齢」）、及び「キーワード」を有する。販促品提供者は、販促品配布にあたり、配布したい配布対象者の条件をここで規定すると、「配布対象者条件」に該当するユーザに対し、販促品が配布される。なお、「地域」、「性別」、「年齢」は、ユーザ帰属する「ユーザ属性（情報）」である。また、「キーワード」は、配布対象者の条件を、ユーザ行動に関するキーワードで規定することができる。これにより、より柔軟に販促品の配布対象者の条件設定を行えるようになっている。
【００６５】
「配布場所」は、販促品の配布場所（受取場所）である。販促品提供者は、販促品配布にあたり、配布したい場所を規定する。なお、本実施形態において、配布場所は、販促品を配布するための会員店舗とする。また、配布場所は、一店のみならず、複数の会員店舗でもよい。
【００６６】
＜動作＞
（販促品配布処理）
次に、本実施形態にかかる販促システムの処理動作について説明する。
【００６７】
図７は、本実施形態にかかる販促システムの販促品配布処理例を示すシーケンス図である。具体的には、ユーザ端末１、会員情報管理サーバ２及び販促サーバ３の処理動作により構成される。以下、図面を参照しながら、詳しく説明する。
【００６８】
なお、前提として、上述したように、会員情報ＤＢ２０３ａ、販促品ＤＢ３０３ａの情報は整備されており、また、最新の情報状態に更新されているものとする。
【００６９】
Ｓ１：まず、ユーザは、例えば、会員店舗（例えば、店舗４）に来店し、店舗４の所定端末にユーザ端末１をかざすことで、会員カードの、例えば、購買履歴の更新、購入ポイントや来店ポイントの追加など、会員管理情報や購買履歴情報の更新を行う。
【００７０】
ユーザ端末１は、会員管理アプリ内の会員カードの、会員管理情報や購買履歴情報が更新されると、更新された更新情報（例えば、購買履歴情報、購入ポイント又は来店ポイント等）を、例えば、３Ｇ、４Ｇ、ＷｉＦｉ等のネットワークを介し、会員情報管理サーバ２に送信する。
【００７１】
なお、更新情報に購入店舗の情報が含まれない場合、ユーザ端末１の位置情報（ＧＰＳ等より取得）を送信し、購入店舗の情報に代える。また、更新情報は、店舗４のＰＯＳシステムから、ネットワーク（例えば、固定インターネット回線等）を介し、会員情報管理サーバ２に送信されてもよい。
【００７２】
Ｓ２：会員情報管理サーバ２（会員情報管理部２０１）は、ユーザ端末１から更新情報を受信すると、更新情報を会員情報ＤＢ２０３ａに反映させ更新する。
【００７３】
Ｓ３：次に、会員情報管理サーバ２は、販促サーバ３に対し、販促品マッチング検索要求を送信する。会員情報管理サーバ２は、会員情報ＤＢ２０３ａから、Ｓ１で会員管理情報や購買履歴情を更新したユーザの会員管理情報及び行動履歴情報を取得し、販促品マッチング検索要求と共に送信する。
【００７４】
Ｓ４：販促サーバ３（検索部３０１）は、会員情報管理サーバ２から、販促品マッチング検索要求を受信すると、ユーザ端末１の会員管理情報及び行動履歴情報に基づいて、販促品ＤＢ３０３ａ（図６）を検索し、当該ユーザ端末１のユーザにマッチする販促品が存在するか否かを検索する。
【００７５】
Ｓ５：販促サーバ３（配布部３０２）は、販促品ＤＢ３０３ａにおいて、当該ユーザ端末１にマッチする販促品が存在する場合、その販促品の「販促品情報」、「配布場所」等の情報を使用してその販促品のクーポンを生成し、ユーザ端末１に対し送信する。
【００７６】
なお、Ｓ５で、検索結果が「該当販促品なし」の場合、配布部３０２は、販促品情報をユーザ端末１に対し配布しない。
【００７７】
図８は、本発明の一実施形態にかかる会員管理アプリ画面の一例である。会員管理アプリ上、販促品のクーポンが配布され表示されている。例えば、販促品のクーポンは、例えば、「販促品名」「販促品詳細」、及び「配布場所」（受取場所）が示される。「広告主」もあってもよい（非図示）。ユーザは、「配布場所」に来店し、所定端末にユーザ端末１をかざしたり、販促品のクーポンを提示するなどにより、販促品を受け取ることができる。
【００７８】
（販促品マッチング検索）
図９は、本実施形態にかかる販促サーバ３の販促品マッチング検索例を示すフローチャートである。以下、図面を参照しながら、上記Ｓ４について、詳しく説明する。
【００７９】
なお、上述したように、販促サーバ３（検索部３０１）は、会員情報管理サーバ２から、販促品マッチング検索要求を受信した際、ユーザ端末１の会員管理情報及び行動履歴情報を受信している。
【００８０】
Ｓ４１：販促サーバ３（検索部３０１）は、会員情報管理サーバ２から、販促品マッチング検索要求を受信すると、まず、ユーザ端末１の会員管理情報の内、ユーザ属性情報を用いて、販促品（販促品ＩＤ）を検索する。
【００８１】
具体的に、検索要求と共に送信されてきたユーザ端末１の会員管理情報（特に、ユーザ属性情報）と、販促品情報ＤＢ３０３ａの「配布対象者条件」の「ユーザ属性」とを比較する。
【００８２】
例えば、図５（ａ）を参照し、ユーザ端末１の会員管理情報が、会員ＩＤ０００１の場合、「住所」東京都品川区・・、「性別」女、「年齢」２５と、図６の「配布対象者条件」の内、「ユーザ属性」である「地域」、「性別」、「年齢」とを比較し、全ユーザ属性が一致する販促品（販促品ＩＤ）をまず抽出する。例えば、図６の場合、販促品ＩＤａ００１、ａ００３、ａ００４の販促品が該当し抽出される。
【００８３】
Ｓ４２：次に、販促サーバ３（検索部３０１）は、ユーザ端末１のユーザの行動履歴情報と、販促品情報ＤＢ３０３ａの「配布対象者条件」の「キーワード」とを用いて、Ｓ４１で抽出された販促品を絞る。
【００８４】
例えば、図５（ｃ）の会員ＩＤ０００１の行動履歴情報と、Ｓ４１で抽出された販促品ＩＤａ００１、ａ００３、ａ００４の「配布対象者条件」の内、「キーワード」とに基づいて、会員ＩＤ０００１のユーザの行動が、「キーワード」に規定される行動を有している販促品（販促品ＩＤ）を抽出する。いいかえれば、会員ＩＤ０００１のユーザの行動が、「キーワード」に規定される行動にマッチする販促品を抽出する。
【００８５】
具体的に、図５（ｃ）を参照し、会員ＩＤ０００１の行動履歴情報の内、「平日の夕刻」、「アルコール飲料を購入」という行動から、「キーワード」：仕事帰り、お酒好きとマッチする販促品ＩＤａ００１（「キーワード」：仕事帰り、お酒好き）を抽出しうる。また、会員ＩＤ０００１の行動履歴情報の内、「スポーツクラブ」、「運動」、「スポーツ飲料を購入」という行動から、販促品ＩＤａ００３（「キーワード」：健康）を抽出しうる。
【００８６】
即ち、会員ＩＤ０００１のユーザ行動履歴からして、「キーワード」で特定されるユーザにマッチする販促品を配布すれば、ユーザが販促品を受け取る可能性は高くなる。ユーザ行動履歴情報は、あくまで過去のユーザの行動履歴であるが、繰り返して、同一の行動履歴が見られる場合、将来（未来）においても同一の行動が予測される（ユーザが同一の行動を取る可能性がある）。
【００８７】
Ｓ４３：次に、販促サーバ３（検索部３０１）は、ユーザ端末１のユーザの行動履歴情報と、販促品情報ＤＢ３０３ａの「配布場所」とを用いて、Ｓ４２で抽出された販促品を絞る。
【００８８】
例えば、図５の会員ＩＤ０００１の行動履歴情報と、Ｓ４１で抽出された販促品ＩＤａ００１、ａ００３の「配布場所」とに基づいて、会員ＩＤ０００１のユーザの行動が、「配布場所」での行動を有している販促品（販促品ＩＤ）を抽出する。いいかえれば、会員ＩＤ０００１のユーザの行動が、「配布場所」に規定される場所に行くと予想される販促品を抽出する。
【００８９】
具体的に、図５（ｃ）を参照すると、会員ＩＤ０００１の行動履歴情報の内、「店舗４」、「購入後」、「その足」、「店舗５」、「立ち寄り」という行動から、「配布場所」：店舗５とマッチする販促品ＩＤａ００１（「配布場所」：店舗５）を抽出しうる。
【００９０】
即ち、会員ＩＤ０００１のユーザ行動履歴からして、実際にユーザが立ち寄った店舗４の後に、「配布場所」である店舗５に立ち寄ることが予想され、そのようなユーザにマッチする販促品を配布すれば、ユーザが販促品を受け取る可能性は高くなる。
【００９１】
Ｓ４４：次に、販促サーバ３（検索部３０１）は、Ｓ４３で抽出された販促品は１つであるか否かを判定する。１つの場合、Ｓ４５へ進む。１つでない場合、Ｓ４６へ進む。
【００９２】
なお、Ｓ４４は、配布する販促品は１つであるとの想定の下の処理である。よって、複数の販促品を配布可能な場合、Ｓ４４は省略できる。この場合、Ｓ４３の後、Ｓ４５へ進めばよい。
【００９３】
Ｓ４５：販促サーバ３（検索部３０１）は、検索結果を該当ありとし、該当の販促品ＩＤを配布部３０２に通知する。
【００９４】
Ｓ４６：販促サーバ３（検索部３０１）は、Ｓ４３で抽出された販促品は１つでない場合、いずれか１の販促品を抽出する。抽出方法は、Ｓ４２、Ｓ４３の抽出過程で、マッチ度をスコアによって保持しておき、最上位スコアの販促品を１つ抽出することができる。なお、ランダム抽選を行って、いずれか１の販促品を抽出する方法もある。
【００９５】
Ｓ４７：一方、Ｓ４１〜Ｓ４３のいずれかで、Ｎに進んだ場合には、販促サーバ３（検索部３０１）は、検索結果を該当なしとし、その旨を配布部３０２に通知する。
【００９６】
なお、Ｓ４３で、ユーザの行動が、「配布場所」の場所と完全一致せずとも、一定の幅を持たせることもできる。例えば、ユーザの行動が、「配布場所」と完全一致する場所に行かないと予想される場合でも、「配布場所」の近隣（例えば、同一エリア、所定距離以内）に位置する他店舗（店舗４や店舗５以外の、店舗５に近隣の店舗）に行く予想される場合には、「配布場所」に紐付けられた販促品を抽出してもよい。
【００９７】
＜総括＞
以上、販促サーバ３は、実際のユーザの行動活動（行動履歴情報）に基づいて、販促品の「配布対象者条件」の「キーワード」で特定されるユーザに対し、販促品を配布する。このため、販促品提供者が要望する配布対象者に対して詳細に精度よく販促品を配布することができる。
【００９８】
また、販促サーバ３は、実際のユーザの行動活動（行動履歴情報）に基づいて、販促品の「配布場所」に立ち寄ると予想されるユーザに対し、販促品を配布する。このため、よりユーザに販促品を受け取ってもらえる可能性を高め、配布対象者の応答性向上を図ることができる。
【００９９】
また、ユーザは、販促品を受け取るにあたり、特別な作業をすることになく、本人にマッチングされた販促品を入手できる。
【０１００】
このように、本実施形態においては、ユーザ端末１のユーザに対し、適切な販促品を配布するようにし、販促品受取の可能性を一層高いものとする仕組みとなっている。
【０１０１】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【０１０２】
１        ユーザ端末
２        会員情報管理サーバ
３        販促サーバ
１１        ＣＰＵ
１２        ＲＯＭ
１３        ＲＡＭ
１４        入力装置
１５        出力装置
１６        通信装置
１７        ＨＤＤ
２０１    会員情報管理部
２０２    ユーザ行動分析部
２０３    記憶部
３０１    検索部
３０２    配布部
３０３    記憶部
【図１】
2014186538.tif 000003
【図２】
2014186538.tif 000004
【図３】
2014186538.tif 000005
【図４】
2014186538.tif 000006
【図５】
2014186538.tif 000007
【図６】
2014186538.tif 000008
【図７】
2014186538.tif 000009
【図８】
2014186538.tif 000010
【図９】
2014186538.tif 000011